(57)【要約】【課題】  部品点数が少なく安価で組み立てを容易に行うこと。【解決手段】  前面及び上面に開口部１８，１９を開設したケース本体１４Ａと、該ケース本体１４Ａの下端から下方に延びてシャーシ１の貫通孔１ａに挿通されるケース脚部１４Ｂとを有する合成樹脂製ケース１４内にリード線１５付きコア本体１６が配置され、該コア本体１６が互いに当接させたフロントコア１６Ａとボビン２０付きバックコア１６Ｂとを有しており、前記コア本体１６に対向する弾性変位可能な平面視略コ字状弾性片３０がケース本体１４Ａに一体形成されており、コア本体１６をケース本体１４Ａ内に挿入してバックコア１６Ｂの背面を弾性片３０の中央部３０ａに圧接させることによりフロントコア１６Ａをケース本体１４Ａの前面開口部１８に嵌め込むようにした。【選択図】        図１
0003101935.tif 000002
【実用新案登録請求の範囲】
【請求項１】
前面及び上面に開口部を開設したケース本体と該ケース本体の下端か
ら下方に延びてシャーシの貫通孔に挿通されるケース脚部とを有する合成樹脂製ケース内
にリード線付きコア本体が挿入され、該コア本体が互いに当接させたフロントコアとボビ
ン付きバックコアとを有し、前記ボビンの下端から下方に延びるホルダに前記リード線の
一端部が係止され、該リード線の一端部端子に前記ボビンに巻回したコイルの端子が接続
され、前記バックコアの背面を押圧するための板ばねが設けられており、リード線付きコ
ア本体及び板ばねをケース本体内に挿入することにより、板ばねでバックコアの背面を押
圧してフロントコアをケースの前面開口部に嵌め込むと共に、リード線がケース脚部内を
通ってシャーシ下まで延ばされており、リード線からボビンに巻回したコイルに通電する
ことにより発生する磁界でフロントコアに接する磁気テープに記録されている情報を消去
するようした磁気テープ装置の消去ヘッドにおいて、前記板ばねに代えて弾性変位可能な
平面視略コ字状の弾性片が用いられ、該弾性片がコア本体に対向してケース本体内に配置
されてその弾性片の両端がケース本体の両側板部に一体形成され、前記ホルダをボビンか
ら切除し、前記ケース脚部の前面にリード線挿通口が開設され、該リード線挿通口の上端
奥部に配置されてリード線の外径とほぼ同幅の凹部を有する略コ字状係止枠がケース本体
に一体形成されており、前記コア本体をケース本体内に挿入してバックコアの背面を弾性
片の中央部に圧接させることによりフロントコアをケース本体の前面開口部に嵌め込み、
リード線の一端部を前記リード線挿通孔を通って係止枠の凹部内に挿入係止し、該リード
線の一端部端子に前記ボビンに巻回したコイルの端子を接続させたことを特徴とする磁気
テープ装置の消去ヘッド。
【請求項２】
前面及び上面に開口部を開設したケース本体と該ケース本体の下端か
ら下方に延びてシャーシの貫通孔に挿通されるケース脚部とを有する合成樹脂製ケース内
にリード線付きコア本体が挿入され、該コア本体が互いに当接させたフロントコアとボビ
ン付きバックコアとを有し、前記ボビンの下端から下方に延びるホルダに前記リード線の
一端部が係止され、該リード線の一端部端子に前記ボビンに巻回したコイルの端子が接続
され、前記バックコアの背面を押圧するための板ばねが設けられ、リード線付きコア本体
及び板ばねをケース本体内に挿入することにより、板ばねでバックコアの背面を押圧して
フロントコアをケースの前面開口部に嵌め込むと共に、リード線がケース脚部内を通って
シャーシ下まで延ばされており、リード線からボビンに巻回したコイルに通電することに
より発生する磁界でフロントコアに接する磁気テープに記録されている情報を消去するよ
うした磁気テープ装置の消去ヘッドにおいて、前記板ばねに代えて中央部前面に複数の突
条部を所定間隔をおいて一体突設した平面視略Ｉ字状の弾性片が用いられ、該弾性片がコ
ア本体に対向してケース本体内に配置されてその弾性片の両端がケース本体の両側板部に
一体形成され、前記ホルダをボビンから切除し、前記ケース脚部の前面にリード線挿通口
が開設され、該リード線挿通口の上端奥部に配置されてリード線の外径とほぼ同幅の凹部
を有する略コ字状係止枠がケース本体に一体形成されており、前記コア本体をケース本体
内に挿入してバックコアの背面を弾性片の各突条部に圧接させることによりフロントコア
をケース本体の前面開口部に嵌め込み、リード線の一端部を前記リード線挿通口を通って
係止枠の凹部内に挿入係止し、該リード線の一端部端子に前記ボビンに巻回したコイルの
端子を接続させたことを特徴とする磁気テープ装置の消去ヘッド。
【請求項３】
前面及び上面に開口部を開設したケース本体と、該ケース本体の下端
から下方に延びてシャーシの貫通孔に挿通されるケース脚部とを有する合成樹脂製ケース
内にリード線付きコア本体が配置され、該コア本体が、互いに当接させたフロントコアと
ボビン付きバックコアとを有しており、リード線からボビンに巻回したコイルに通電する
ことにより発生する磁界でフロントコアに接する磁気テープに記録されている情報を消去
するようした磁気テープ装置の消去ヘッドにおいて、前記コア本体に対向する弾性変位可
能な弾性体がケース本体に一体形成されており、コア本体をケース本体内に挿入してバッ
クコアの背面を弾性体に圧接させることによりフロントコアをケース本体の前面開口部に
嵌め込むようにしたことを特徴とする磁気テープ装置の消去ヘッド。
【請求項４】
前記弾性体が平面視略コ字状の弾性片からなり、該弾性片がケース本
体内に配置されてその弾性片の両端がケース本体の両側板部に一体形成されており、コア
本体をケース本体内に挿入してバックコアの背面を弾性片の中央部に圧接させることによ
りフロントコアをケース本体の前面開口部に嵌め込むようにしたことを特徴とする請求項
３に記載の磁気テープ装置の消去ヘッド。
【請求項５】
前記弾性体が中央部前面に複数の突条部を所定間隔をおいて一体突設
した平面視略Ｉ字状の弾性片からなり、該弾性片がケース本体内に配置されてその弾性片
の両端がケース本体の両側板部に一体形成されており、コア本体をケース本体内に挿入し
てバックコアの背面を各突条部に圧接させることによりフロントコアをケース本体の前面
開口部に嵌め込むようにしたことを特徴とする請求項３に記載の磁気テープ装置の消去ヘ
ッド。
【請求項６】
前記ケース脚部の前面にリード線挿通口が開設され、該リード線挿通
口の上端奥部に配置されてリード線の外径とほぼ同幅の凹部を有する略コ字状係止枠がケ
ース本体に一体形成されており、リード線の一端部をリード線挿通口を通って係止枠の凹
部内に挿入係止し、そのリード線の一端部端子に前記ボビンに巻回したコイルの端子を接
続させたことを特徴とする請求項３から５のいずれかに記載の磁気テープ装置の消去ヘッ
ド。
【考案の詳細な説明】
【技術分野】
【０００１】
本考案は、例えばＶＣＲなどの磁気テープ装置にセットしたテープカセットから引き出
した磁気テープに記録されている情報を消去するための消去ヘッドに関し、特に、部品点
数が少なく安価でリード線を所謂後付けすることにより組み立てを容易に行うことができ
るようにしたものである。
【背景技術】
【０００２】
従来、ＶＣＲ型磁気テープ装置の一例として図１１に示すものがある。これは、シャー
シ１にヘッドシリンダ２を間に挟んで一対の長孔３が形成され、該各長孔３に沿って移動
可能な移動台４に可動ガイドポスト５が立設され、外側の長孔３に接近してシャーシ１に
全幅消去用の消去ヘッド６が固定されている。なお、７は音声消去ヘッド、８は音声・コ
ントロールヘッド、９は固定ガイドポスト、１０はキャプスタン、１１はテープカセット
Ｔの磁気テープｔを介してキャプスタン１０に圧接するピンチローラ、１２はテンション
ポストである。
【０００３】
上記構成において、磁気テープ装置にテープカセットＴをセットし、ローディング信号
に基づいて各移動台４を前進させることにより、各可動ガイドポスト５によりテープカセ
ットＴから磁気テープｔを引き出してヘッドシリンダ２に巻き付け（図１１仮想線参照）
、該ヘッドシリンダ２により磁気テープｔに情報を記録したり再生し、消去ヘッド６によ
り磁気テープｔに記録されている情報を消去する。
【０００４】
前記消去ヘッド６の技術としては特許文献１などに記載したものがあり、その一例を図
１２から図１５に基づいて説明すると、これは、合成樹脂製ケース１４内にリード線１５
付きコア本体１６を挿入したものであって、前記ケース１４は、前面及び上面に開口部１
８，１９を開設したケース本体１４Ａと、該ケース本体１４Ａの下端から下方に延びてシ
ャーシ１の貫通孔１ａに挿通されるケース脚部１４Ｂとを有し、前記コア本体１６は、互
いに当接させたフロントコア１６Ａとボビン２０付きバックコア１６Ｂとを有し、該バッ
クコア１６Ｂが平面視略コ字状に形成されてその一端部がボビン２０の貫通孔２０ｂに挿
通され、前記ボビン２０の下端から下方に延びるホルダ２１にリード線１５の一端部が係
止され、該リード線１５の一端部端子１５ａに前記ボビン２０に巻回したコイル２２の端
子２２ａが接続され、前記バックコア１６Ｂの背面を押圧するための板ばね２３が設けら
れたものであって、該板ばね２３は、弾性金属板２３ａに複数のスリットを形成し、該各
スリットにより切り残した複数の弾性舌片２３ｂを略Ｌ字状に折り曲げたものである。
【０００５】
消去ヘッド６の組立手順を説明すると、図１５に示すように、コア本体１６を形成する
フロントコア１６Ａ及びバックコア１６Ｂとリード線１５付きボビン２０及び板ばね２３
とを指部で把持して一体的に組み立て、その組み立て状態が崩れないように注意しながら
ケース本体１４Ａ内に上面開口部１９から挿入し、ケース本体１４Ａの両側板部１４ａ，
１４ｂの内側面に形成したガイド溝２４にボビン２０及び板ばね２３を係合させ、ボビン
２０に突設したストッパ突起２０ａを側板部１４ｂのストッパ孔２４ａに嵌入させること
により、図１２及び図１３に示すように、ボビン２０をケース本体１４Ａ内に係止すると
共に、板ばね２３でバックコア１６Ｂの背面を押圧してフロントコア１６Ａを前面開口部
１８に嵌め込む。
【０００６】
消去ヘッド６の取付手順を説明すると、ケース脚部１４Ｂをシャーシ１の貫通孔１ａに
挿通してケース本体１４Ａの側面に突設した係止片２５をシャーシ１に当接させると共に
、該係止片２５の下面に突設した突起部２５ａをシャーシ１の係止孔１ｂに嵌入させ、そ
の係止片２５をビス２６でシャーシ１に止着することにより、ケース１４をシャーシ１の
所定位置に固定し、ケース脚部１４Ｂ内に挿通したリード線１５の他端部端子１５ｂをシ
ャーシ１の下方に配置したプリント基板２７に半田付け２８する。
【特許文献１】特開平７−８５４１２号公報
【考案の開示】
【考案が解決しようとする課題】
【０００７】
上記従来の構成では、板ばね２３でコア本体１６をケース本体１４Ａ内の所定位置に位
置決めするようになっており、その板ばね２３を用いている分だけ部品点数が増加すると
共に、その板ばね２３の加工に手間と時間とがかかるので、製作費が高くつく。
【０００８】
また、リード線１５の一端部をホルダ２１に係止し、該リード線１５の一端部端子１５
ａにボビン２０に巻回したコイル２２の端子２２ａを接続し、その後、リード線１５付き
コア本体１６をケース本体１４Ａ内に挿入するようになっており、前記リード線１５を所
謂先付けするようになっているから、ボビン２０にホルダ２１を一体形成する必要があり
、これでは、そのホルダ２１付きボビン２０を成形するための金型の構造が複雑になって
金型代が高くつく。
【０００９】
更に、所謂先付けでリード線１５を接続したボビン２０及び板ばね２３とコア本体１６
を形成するフロントコア１６Ａ及びバックコア１６Ｂとを指部で把持して一体的に組み立
て、その組み立て状態を維持しつつケース本体１４Ａ内に挿入するようになっており、こ
れでは、その組み立て部品が多いため、組み立て状態が崩れやすく、その組み立て状態が
崩れないように作業を慎重に行う必要があり、手間がかかって面倒である。
【００１０】
本考案は、上記従来の欠点に鑑み、部品点数が少なく安価でリード線を所謂後付けする
ことにより組み立てを容易に行うことができるようにした消去ヘッドを提供することを目
的としている。
【課題を解決するための手段】
【００１１】
上記目的を達成するため、請求項１に記載の考案は、前面及び上面に開口部を開設した
ケース本体と該ケース本体の下端から下方に延びてシャーシの貫通孔に挿通されるケース
脚部とを有する合成樹脂製ケース内にリード線付きコア本体が挿入され、該コア本体が互
いに当接させたフロントコアとボビン付きバックコアとを有し、前記ボビンの下端から下
方に延びるホルダに前記リード線の一端部が係止され、該リード線の一端部端子に前記ボ
ビンに巻回したコイルの端子が接続され、前記バックコアの背面を押圧するための板ばね
が設けられており、リード線付きコア本体及び板ばねをケース本体内に挿入することによ
り、板ばねでバックコアの背面を押圧してフロントコアをケースの前面開口部に嵌め込む
と共に、リード線がケース脚部内を通ってシャーシ下まで延ばされており、リード線から
ボビンに巻回したコイルに通電することにより発生する磁界でフロントコアに接する磁気
テープに記録されている情報を消去するようした磁気テープ装置の消去ヘッドにおいて、
前記板ばねに代えて弾性変位可能な平面視略コ字状の弾性片が用いられ、該弾性片がコア
本体に対向してケース本体内に配置されてその弾性片の両端がケース本体の両側板部に一
体形成され、前記ホルダをボビンから切除し、前記ケース脚部の前面にリード線挿通口が
開設され、該リード線挿通口の上端奥部に配置されてリード線の外径とほぼ同幅の凹部を
有する略コ字状係止枠がケース本体に一体形成されており、前記コア本体をケース本体内
に挿入してバックコアの背面を弾性片の中央部に圧接させることによりフロントコアをケ
ース本体の前面開口部に嵌め込み、リード線の一端部を前記リード線挿通孔を通って係止
枠の凹部内に挿入係止し、該リード線の一端部端子に前記ボビンに巻回したコイルの端子
を接続させたことを特徴としている。
【００１２】
請求項２に記載の考案は、前面及び上面に開口部を開設したケース本体と該ケース本体
の下端から下方に延びてシャーシの貫通孔に挿通されるケース脚部とを有する合成樹脂製
ケース内にリード線付きコア本体が挿入され、該コア本体が互いに当接させたフロントコ
アとボビン付きバックコアとを有し、前記ボビンの下端から下方に延びるホルダに前記リ
ード線の一端部が係止され、該リード線の一端部端子に前記ボビンに巻回したコイルの端
子が接続され、前記バックコアの背面を押圧するための板ばねが設けられ、リード線付き
コア本体及び板ばねをケース本体内に挿入することにより、板ばねでバックコアの背面を
押圧してフロントコアをケースの前面開口部に嵌め込むと共に、リード線がケース脚部内
を通ってシャーシ下まで延ばされており、リード線からボビンに巻回したコイルに通電す
ることにより発生する磁界でフロントコアに接する磁気テープに記録されている情報を消
去するようした磁気テープ装置の消去ヘッドにおいて、前記板ばねに代えて中央部前面に
複数の突条部を所定間隔をおいて一体突設した平面視略Ｉ字状の弾性片が用いられ、該弾
性片がコア本体に対向してケース本体内に配置されてその弾性片の両端がケース本体の両
側板部に一体形成され、前記ホルダをボビンから切除し、前記ケース脚部の前面にリード
線挿通口が開設され、該リード線挿通口の上端奥部に配置されてリード線の外径とほぼ同
幅の凹部を有する略コ字状係止枠がケース本体に一体形成されており、前記コア本体をケ
ース本体内に挿入してバックコアの背面を弾性片の各突条部に圧接させることによりフロ
ントコアをケース本体の前面開口部に嵌め込み、リード線の一端部を前記リード線挿通口
を通って係止枠の凹部内に挿入係止し、該リード線の一端部端子に前記ボビンに巻回した
コイルの端子を接続させたことを特徴としている。
【００１３】
請求項３に記載の考案は、前面及び上面に開口部を開設したケース本体と、該ケース本
体の下端から下方に延びてシャーシの貫通孔に挿通されるケース脚部とを有する合成樹脂
製ケース内にリード線付きコア本体が配置され、該コア本体が、互いに当接させたフロン
トコアとボビン付きバックコアとを有しており、リード線からボビンに巻回したコイルに
通電することにより発生する磁界でフロントコアに接する磁気テープに記録されている情
報を消去するようした磁気テープ装置の消去ヘッドにおいて、前記コア本体に対向する弾
性変位可能な弾性体がケース本体に一体形成されており、コア本体をケース本体内に挿入
してバックコアの背面を弾性体に圧接させることによりフロントコアをケース本体の前面
開口部に嵌め込むようにしたことを特徴としている。
【００１４】
請求項４に記載の考案は、請求項３に記載の考案において、前記弾性体が平面視略コ字
状の弾性片からなり、該弾性片がケース本体内に配置されてその弾性片の両端がケース本
体の両側板部に一体形成されており、コア本体をケース本体内に挿入してバックコアの背
面を弾性片の中央部に圧接させることによりフロントコアをケース本体の前面開口部に嵌
め込むようにしたことを特徴としている。
【００１５】
請求項５に記載の考案は、請求項３に記載の考案において、前記弾性体が中央部前面に
複数の突条部を所定間隔をおいて一体突設した平面視略Ｉ字状の弾性片からなり、該弾性
片がケース本体内に配置されてその弾性片の両端がケース本体の両側板部に一体形成され
ており、コア本体をケース本体内に挿入してバックコアの背面を各突条部に圧接させるこ
とによりフロントコアをケース本体の前面開口部に嵌め込むようにしたことを特徴として
いる。
【００１６】
請求項６に記載の考案は、請求項３から５のいずれかに記載の考案において、前記ケー
ス脚部の前面にリード線挿通口が開設され、該リード線挿通口の上端奥部に配置されてリ
ード線の外径とほぼ同幅の凹部を有する略コ字状係止枠がケース本体に一体形成されてお
り、リード線の一端部をリード線挿通口を通って係止枠の凹部内に挿入係止し、そのリー
ド線の一端部端子に前記ボビンに巻回したコイルの端子を接続させたことを特徴としてい
る。
【考案の効果】
【００１７】
請求項１に記載の考案は第１の実施の形態（図１から図８参照）に対応するものであっ
て、これによれば、コア本体をケース本体内の所定位置に位置決めするための弾性片が該
ケース本体に一体形成されているから、部品点数が増加せず、従来の高価な板ばねを用い
る場合に比べて、製作費が安くつく。
【００１８】
また、コア本体をケース本体内に挿入してバックコアの背面を弾性片の中央部に圧接さ
せることにより、該弾性片が弾性変位され、それにより生ずる押圧力でコア本体をケース
本体内の所定位置に確実に位置決めすることができ、特に、弾性片が平面視略コ字状に形
成されているので、該弾性片を比較的大きく弾性変位させて所定通りの押圧力を発生させ
、その押圧力でフロントコアをケース本体の前面開口部に所望通りに確実に嵌め込むこと
ができる。
【００１９】
更に、リード線の一端部をリード線挿通口を通って係止枠の凹部内に挿入係止し、該リ
ード線の一端部端子にボビンに巻回したコイルの端子を接続するようになっており、前記
リード線を所謂後付けするようになっているから、ボビンに従来のリード線係止用ホルダ
に相当するものを設けることが不要となり、その不要となった分だけボビンの成形金型の
構造が簡単になって金型代が安くつく。
【００２０】
また更に、リード線を所謂後付けすると共に、従来の板ばねが省略されているので、消
去ヘッドを組み立てる際に、コア本体を形成するフロントコアとボビン付きバックコアと
を指部で把持して一体的に組み立てた状態でケース本体内に挿入するだけでよく、従来の
リード線や板ばねが除かれている分だけ組み立て部品が少ないので、その組み立て及び挿
入の作業を迅速容易に行うことができ、作業能率が高い。
【００２１】
以上要するに、部品点数が少なく安価でリード線を所謂後付けすることにより組み立て
を容易に行うことができるようした磁気テープ装置に適した消去ヘッドを提供するもので
ある。
【００２２】
請求項２に記載の考案は第２の実施の形態（図９及び図１０参照）に対応するものであ
って、これによれば、請求項１に記載の効果とほぼ同じ効果を得ることができ、コア本体
をケース本体内に挿入してバックコアの背面を平面視略Ｉ字状弾性片の中央部前面に突設
した複数の突条部に圧接させることにより、該各突条部及び弾性片が弾性変位され、それ
により生ずる押圧力でコア本体をケース本体内の所定位置に確実に位置決めすることがで
き、特に、複数の突条部がバックコアの背面にほぼ均等の押圧力で当たるので、フロント
コアをケース本体の前面開口部に所望通りに確実に嵌め込むことができる。
【００２３】
請求項３に記載の考案によれば、コア本体をケース本体内の所定位置に位置決めするた
めの弾性体が該ケース本体に一体形成されているから、部品点数が増加せず、従来の高価
な板ばねを用いる場合に比べて、製作費が安くつく。
【００２４】
請求項４に記載の考案によれば、コア本体をケース本体内に挿入してバックコアの背面
を平面視略コ字状弾性片の中央部に圧接させることにより、該弾性片が弾性変位され、そ
れにより生ずる押圧力でコア本体をケース本体内の所定位置に確実に位置決めすることが
でき、特に、弾性片が平面視略コ字状に形成されているので、該弾性片を比較的大きく弾
性変位させて所定通りの押圧力を発生させ、その押圧力でフロントコアをケース本体の前
面開口部に所望通りに確実に嵌め込むことができる。
【００２５】
請求項５に記載の考案によれば、コア本体をケース本体内に挿入してバックコアの背面
を平面視略Ｉ字状弾性片の中央部前面に突設した複数の突条部に圧接させることにより、
該各突条部及び弾性片が弾性変位され、それにより生ずる押圧力でコア本体をケース本体
内の所定位置に確実に位置決めすることができ、特に、複数の突条部がバックコアの背面
にほぼ均等の押圧力で当たるので、フロントコアをケース本体の前面開口部に所望通りに
確実に嵌め込むことができる。
【００２６】
請求項６に記載の考案によれば、リード線の一端部をリード線挿通口を通って係止枠の
凹部内に挿入係止し、該リード線の一端部端子にボビンに巻回したコイルの端子を接続す
るようになっており、前記リード線を所謂後付けするようになっているから、ボビンに従
来のリード線係止用ホルダに相当するものを設けることが不要となり、その不要となった
分だけボビンの成形金型の構造が簡単になって金型代が安くつく。
【００２７】
また、リード線を所謂後付けすると共に、従来の板ばねが省略されているので、消去ヘ
ッドを組み立てる際に、コア本体を形成するフロントコアとボビン付きバックコアとを指
部で把持して一体的に組み立てた状態でケース本体内に挿入するだけでよく、従来のリー
ド線や板ばねが除かれている分だけ組み立て部品が少ないので、その組み立て及び挿入の
作業を迅速容易に行うことができ、作業能率が高い。
【考案を実施するための最良の形態】
【００２８】
図１から図８は本考案の第１の実施の形態であるＶＣＲ型磁気テープ装置の消去ヘッド
６を示すものであって、前記板ばね２３に代えて弾性変位可能な平面視略コ字状の弾性片
（弾性体）３０が用いられ、該弾性片３０がコア本体１６に対向してケース本体１４Ａ内
に配置されてその弾性片３０の両端がケース本体１４Ａの両側板部１４ａ，１４ｂに一体
形成され、ボビン２０から従来のホルダ２１（図１５参照）に相当するものを切除し、ケ
ース脚部１４Ｂがケース本体１４Ａの両側板部１４ａ，１４ｂの下端から下方に延びる一
対の脚板部１４ｃ，１４ｄを有しており、該両脚板部１４ｃ，１４ｄ間の前面にリード線
挿通口３１が開設され、該リード線挿通口３１の上端奥部に配置されてリード線１５の外
径ｄとほぼ同幅ｔの凹部３２ａを有する略コ字状係止枠３２がケース本体１４Ａに一体形
成されている。なお、図７中、３３は各脚板部１４ｃ，１４ｄの内側面に突設した一対の
リード線挟持片である。上記以外の構成は図１１から図１５に示す構成とほぼ同じである
ので、同一部分に同一符合を付してその説明を省略する。
【００２９】
消去ヘッド６の組立手順を説明すると、図８（ａ）に示すように、コア本体１６を形成
するフロントコア１６Ａとボビン２０付きバックコア１６Ｂとを指部で把持して一体的に
組み立て、その組み立て状態を維持しながらケース本体１４Ａ内に上面開口部１９から挿
入し、ケース本体１４Ａの両側板部１４ａ，１４ｂの内側面に形成したガイド溝２４にボ
ビン２０を係合させ、該ボビン２０に突設したストッパ突起２０ａを側板部１４ｂのスト
ッパ孔２４ａに嵌入させることにより、図８（ａ）に仮想線で示すように、ボビン２０を
ケース本体１４Ａ内に係止すると共に、バックコア１６Ｂの背面を弾性片３０の中央部３
０ａに圧接させることにより、フロントコア１６Ｂをケース本体１４Ａの前面開口部１８
に嵌め込む。続いて、図８（ｂ）に示すように、リード線１５の一端部をリード線挿通口
３１を通って係止枠３２の凹部３２ａ内に挿入係止することにより、該リード線１５の一
端部端子１５ａを係止枠３２の貫通孔３２ｂに挿通し、その一端部端子１５ａにボビン２
０に巻回したコイル２２の端子２２ａを接続させる（図３参照）。消去ヘッド６の取付手
順は従来とほぼ同じであるから、その説明を省略する。
【００３０】
上記構成によれば、コア本体１６をケース本体１４Ａ内の所定位置に位置決めするため
の弾性片３０が該ケース本体１４Ａに一体形成されているから、部品点数が増加せず、従
来の高価な板ばね２３（図１３参照）を用いる場合に比べて、製作費が安くつく。
【００３１】
また、図８（ａ）に示すように、コア本体１６をケース本体１４Ａ内に挿入してバック
コア１６Ｂの背面を弾性片３０の中央部３０ａに圧接させることにより、該弾性片３０が
弾性変位され、それにより生ずる押圧力ｆでコア本体１６をケース本体１４Ａ内の所定位
置に確実に位置決めすることができる。
【００３２】
ここで、特に、弾性片３０が平面視略コ字状に形成されているので、該弾性片３０を比
較的大きく弾性変位させて所定通りの押圧力ｆを発生させることができ、その押圧力ｆで
フロントコア１６Ｂをケース本体１４Ａの前面開口部１８に所望通りに確実に嵌め込むこ
とができる。
【００３３】
更に、リード線１５の一端部をリード線挿通口を通って係止枠３２の凹部３２ａ内に挿
入係止し、該リード線１５の一端部端子１５ａにボビン２０に巻回したコイル２２の端子
２２ａを接続するようになっており、前記リード線１５を所謂後付けするようになってい
るから、ボビン２０に従来のリード線係止用ホルダ２１（図１３参照）に相当するものを
設けることが不要であり、その不要となった分だけボビン２０の成形金型の構造が簡単に
なって金型代が安くつく。
【００３４】
また更に、リード線１５を所謂後付けすると共に、従来の板ばね２３（図１３参照）が
省略されているので、消去ヘッド６を組み立てる際に、図８（ａ）に示すように、コア本
体１６を形成するフロントコア１６Ｂとボビン２０付きバックコア１６Ｂとを指部で把持
して一体的に組み立てた状態でケース本体１４Ａ内に挿入するだけでよく、従来のリード
線１５や板ばね２３が除かれている分だけ組み立て部品が少ないので、その組み立て及び
挿入の作業を迅速容易に行うことができ、作業能率が高い。
【００３５】
以上要するに、部品点数が少なく安価でリード線１５を所謂後付けすることにより組み
立てを容易に行うことができるようにした磁気テープ装置に適した消去ヘッド６を提供す
るものである。
【００３６】
図９は本考案の第２の実施の形態である消去ヘッド６を示すものであって、中央部前面
に複数の突条部３４ａを所定間隔をおいて一体突設した平面視略Ｉ字状の弾性片（弾性体
）３４がケース本体１４Ａ内に配置されてその弾性片３４の両端がケース本体１４Ａの両
側板部１４ａ，１４ｂに一体形成されており、コア本体１６をケース本体１４Ａ内に挿入
してバックコア１６Ｂの背面を各突条部３４ａに圧接させることによりフロントコア１６
Ｂをケース本体１４Ａの前面開口部１８に嵌め込むようにした。上記構成以外の構成は第
１の実施の形態（図１から図８参照）とほぼ同じなので、同一部分に同一符合を付してそ
の説明を省略する。
【００３７】
上記構成によれば、コア本体１６をケース本体１４Ａ内に挿入してバックコア１６Ｂの
背面を平面視略Ｉ字状弾性片３４の中央部前面に突設した複数の突条部３４ａに圧接させ
ることにより、該各突条部３４ａ及び弾性片３４が弾性変位され、それにより生ずる押圧
力ｆでコア本体１６をケース本体１４Ａ内の所定位置に確実に位置決めすることができ、
特に、複数の突条部３４ａがバックコア１６Ｂの背面にほぼ均等の押圧力ｆで当たるので
、フロントコア１６Ｂをケース本体１４Ａの前面開口部１８に所望通りに確実に嵌め込む
ことができる。
【産業上の利用可能性】
【００３８】
上記した第１、第２の実施の形態では、ＶＣＲ型磁気テープ装置の消去ヘッド６を例に
あげて説明したが、これに限定されるわけではなく、ＶＣＲ型磁気テープ装置以外の各種
磁気テープ装置の消去ヘッドにも適用することができる。
【図面の簡単な説明】
【００３９】
【図１】本考案の第１の実施の形態である消去ヘッドの斜視図である。
【図２】同分解斜視図である。
【図３】同縦断面図である。
【図４】図３のＡ−Ａ矢視図である。
【図５】図３のＢ−Ｂ矢視図である。
【図６】図３のＣ−Ｃ矢視図である。
【図７】図３のＤ−Ｄ矢視図である。
【図８】（ａ）は同組立手順の前半を示す縦断面図、（ｂ）は同組立手順の後半を示す縦断面図である。
【図９】本考案の第２の実施の形態である消去ヘッドの縦断面図である。
【図１０】図９のＥ−Ｅ矢視図である。
【図１１】磁気テープ装置の概略平面図である。
【図１２】従来例を示す斜視図である。
【図１３】同縦断面図である。
【図１４】図１３のＦ−Ｆ矢視図である。
【図１５】同組立手順を示す縦断面図である。
【符号の説明】
【００４０】
１              シャーシ
１ａ            シャーシの貫通孔
６              消去ヘッド
１４            ケース
１４Ａ          ケース本体
１４Ｂ          ケース脚部
１４ａ，１４ｂ  ケース本体の側板部
１５            リード線
１５ａ          リード線の一端部端子
１６            コア本体
１６Ａ          フロントコア
１６Ｂ          バックコア
１８            ケース本体の前面開口部
１９            ケース本体の上面開口部
２０            ボビン
２１            ホルダ
２２            コイル
２２ａ          コイルの端子
２３            板ばね
３０            弾性片（弾性体）
３１            リード線挿通口
３２            係止枠
３２ａ          係止枠の凹部
３４            弾性片（弾性体）
３４ａ          弾性片の突条部
Ｔ              テープカセット
ｔ              磁気テープ
【図１】
0003101935.tif 000003
【図２】
0003101935.tif 000004
【図３】
0003101935.tif 000005
【図４】
0003101935.tif 000006
【図５】
0003101935.tif 000007
【図６】
0003101935.tif 000008
【図７】
0003101935.tif 000009
【図８】
0003101935.tif 000010
【図９】
0003101935.tif 000011
【図１０】
0003101935.tif 000012
【図１１】
0003101935.tif 000013
【図１２】
0003101935.tif 000014
【図１３】
0003101935.tif 000015
【図１４】
0003101935.tif 000016
【図１５】
0003101935.tif 000017